(57)【要約】【課題】    定着領域の用紙幅方向の定着強度を、均一にすることができる簡単な構成のフラッシュランプ式定着装置を提供すること。【解決手段】定着領域Ｑ２の用紙Ｐ下面をガイドする定着領域用紙ガイドＧ２の上方に配置され且つ用紙幅方向である前後方向に延びて配置されたフラッシュランプ１３および射板１２を内部に収容するランプケース１１と、ランプケース１１の後端側から前記ランプケース１１の内部に冷却風を送風する第１送風機１６と、前記フラッシュランプ１３の周囲を流れる際に昇温して前記フラッシュランプ１３の前端側に送風された昇温した冷却風を吸気して、前記定着領域用紙ガイドＧ２の前端近傍の下方から前記定着領域用紙ガイドＧ２の下面後部に向けて排気する第２送風機１７とを備えたフラッシュランプ式定着装置。【選択図】  図３
2006235185.tif 000002
【特許請求の範囲】
【請求項１】
次の構成要件（Ａ01）〜（Ａ03）を備えたフラッシュランプ式定着装置、
（Ａ01）定着領域の用紙下面をガイドする定着領域用紙ガイドの上方に配置され且つ用紙幅方向に延びて配置されたフラッシュランプと、前記フラッシュランプのフラッシュ光を前記定着領域用紙ガイドに向けて反射する反射板とを内部に収容するランプケース、
（Ａ02）前記フラッシュランプおよび反射板の周囲を前記用紙幅方向の一方側から他方側に冷却風が流れるように、前記一方側から前記ランプケースの内部に冷却風を送風する第１送風機、
（Ａ03）前記フラッシュランプの周囲を流れる際に昇温して前記他方側に送風された昇温した冷却風を吸気して、前記定着領域用紙ガイドの前記他方近傍の下方から前記定着領域用紙ガイドの前記一方側に向けて排気する第２送風機。
【請求項２】
次の構成要件（Ａ04）を備えた請求項１記載のフラッシュランプ式定着装置、
（Ａ04）前記定着領域用紙ガイドの前記一方側の下面に向けて排気する前記第２送風機。
【請求項３】
次の構成要件（Ａ05）を備えた請求項１記載のフラッシュランプ式定着装置、
（Ａ05）前記定着領域用紙ガイドと略平行に排気する前記第２送風機。
【請求項４】
次の構成要件（Ａ06）を備えた請求項１記載のフラッシュランプ式定着装置、
（Ａ06）排気方向が変更可能に構成された前記第２送風機。
【発明の詳細な説明】
【技術分野】
【０００１】
本発明は、電子写真方式のプリンタ、複写機等の画像形成装置で使用されるフラッシュランプ式定着装置に関する。
【背景技術】
【０００２】
前記フラッシュランプ式定着装置は、連続発光する際に温度が上昇する。このため、定着領域の定着領域用紙ガイドの上方に配置され且つ用紙幅方向（通常は画像形成装置の前後方向）に延びて配置されたフラッシュランプを冷却する必要がある。冷却方法の代表的な形態として、送風機を使用して前記フラッシュランプを冷却する冷却風を送風するものが広く知られている。
従来は前記送風機によりフラッシュランプの前側（画像形成装置の前側）から後方に向けて冷却風を送風し、前記フラッシュランプの周囲を流れて昇温した冷却風を、画像形成装置の背面（後面）から排気していた。
【０００３】
前記フラッシュランプ式定着装置の冷却方法は、オペレータが印刷済用紙を取り出す際に、前記排気風が最も邪魔にならない方法であり、採用され続けてきた。この従来の方法では、冷却風を送り込んだ側（送風側、すなわち、画像形成装置の前側）のフラッシュランプの表面温度は低くなるが、排気側（画像形成装置の後側）の温度は高くなる。このように定着領域の送風側部分の温度が低くなると、その部分の定着強度が低下するという問題点がある。前記定着温度が低い側の定着強度を確保するためのエネルギをフラッシュランプに与えると、定着温度の高い側では過剰定着になるという問題点がある。
このことは、無駄なエネルギを消費すると共にトナー融解時の定着噴煙を多く発生させ、噴煙回収用のエアフィルタの寿命が短くなるという問題を発生させる。
【０００４】
前記フラッシュランプ式定着装置の用紙幅方向の温度を均一化するための従来技術は、次の特許文献１に記載されている。
（特許文献１（特開平９−８０９５９号公報）記載の技術）
この公報に記載されたフラッシュ定着器は、フラッシュランプ５２および反射板５３を収容する空間の上側に導風路６０を形成する導風カバー５６を設けている。前記フラッシュランプ５２および反射板５３を収容する空間と前記導風路６０のとの仕切る上壁５４ａには冷却風を送風するための複数の通気孔６４が形成されている。前記導風路６０の下流端に設けた入口５８と前記複数の通気孔６４とから、前記フラッシュランプ５２および反射板５３を収容する空間に、冷却風を送風することにより、フラッシュ定着器の用紙幅方向の温度を均一にする技術が記載されている。
【特許文献１】特開平９−８０９５９号公報
【発明の開示】
【発明が解決しようとする課題】
【０００５】
（特許文献１（特開平９−８０９５９号公報）記載の技術の問題点）
特許文献１記載の技術は、前記フラッシュランプ５２および反射板５３を収容する空間の上側に導風路６０を設けているので、構成が複雑化するとともにフラッシュランプ式定着装置が大型になるという問題点がある。
本発明は前記事情に鑑み、次の記載内容（Ｏ01），（Ｏ02）を技術的課題とする。
（Ｏ01）定着領域の用紙幅方向の定着強度を、均一にすること。
（Ｏ02）小型化可能で構成の簡単なフラッシュランプ式定着装置を提供すること。
【課題を解決するための手段】
【０００６】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００７】
（本発明）
前記課題を解決するために本発明のフラッシュランプ式定着装置は、次の構成要件（Ａ01）〜（Ａ03）を備えたことを特徴とする。
（Ａ01）定着領域（Ｑ２）の用紙（Ｐ）下面をガイドする定着領域用紙ガイド（Ｇ２）の上方に配置され且つ用紙幅方向に延びて配置されたフラッシュランプ（１３）と、前記フラッシュランプ（１３）のフラッシュ光を前記定着領域用紙ガイド（Ｇ２）に向けて反射する反射板（１２）とを内部に収容するランプケース（１１）、
（Ａ02）前記フラッシュランプ（１３）および反射板（１２）の周囲を前記用紙幅方向の一方側から他方側に冷却風が流れるように、前記一方側から前記ランプケース（１１）の内部に冷却風を送風する第１送風機（１６）、
（Ａ03）前記フラッシュランプ（１３）の周囲を流れる際に昇温して前記他方側に送風された昇温した冷却風を吸気して、前記定着領域用紙ガイド（Ｇ２）の前記他方近傍の下方から前記定着領域用紙ガイド（Ｇ２）の前記一方側に向けて排気する第２送風機（１７）。
【０００８】
（本発明の作用）
前記構成要件（Ａ01）〜（Ａ03）を備えた本発明のフラッシュランプ式定着装置では、ランプケース（１１）は、定着領域（Ｑ２）の用紙（Ｐ）下面をガイドする定着領域用紙ガイド（Ｇ２）の上方に配置され且つ用紙幅方向に延びて配置されたフラッシュランプ（１３）と、前記フラッシュランプ（１３）のフラッシュ光を前記定着領域用紙ガイド（Ｇ２）に向けて反射する反射板（１２）とを内部に収容する。
第１送風機（１６）は、前記ランプケース（１１）の前記用紙幅方向の一方側から前記ランプケース（１１）の内部に冷却風を送風する。送風された前記冷却風は、前記フラッシュランプ（１３）および反射板（１２）の周囲を前記用紙幅の一方側から他方側に流れる。この場合、フラッシュランプ（１３）の一方側の温度は他方側の温度よりも低くなるので、フラッシュランプの一方側の定着強度は前記他方側よりも低くなる。
前記フラッシュランプ（１３）の周囲を流れる際に昇温して前記フラッシュランプ（１３）の他方側に送風されて昇温した冷却風は、第２送風機（１７）により吸気される。前記第２送風機（１７）により吸気された前記昇温した冷却風は、前記定着領域用紙ガイド（Ｇ２）の前記他方側近傍の下方から前記定着領域用紙ガイド（Ｇ２）の前記一方側に向けて排気される。前記第２送風機（１７）により前記定着領域用紙ガイド（Ｇ２）の前記一方側に向けて送風された気体は昇温している。前記昇温した気体は、前記温度の低いフラッシュランプ（１３）の一方側の定着領域用紙ガイド（Ｇ２）下面に送風されて、前記下面の温度を上昇させる。この温度上昇した定着領域用紙ガイド（Ｇ２）は定着領域（Ｑ２）を通過する用紙（Ｐ）の前記一方側の下面に接触して用紙（Ｐ）の前記一方側の定着強度を上昇させる。
このため、定着領域（Ｑ２）を通過する用紙（Ｐ）の用紙幅方向の定着強度を均一にすることができる。また、前記従来技術のような導風路を設けなくても定着強度を均一にすることができるので、フラッシュランプ式定着装置を小型化でき、構成を簡単にすることができる。
【０００９】
（本発明の形態１）
本発明の形態１のフラッシュランプ式定着装置は、前記本発明のフラッシュランプ式定着装置において、次の構成要件（Ａ04）を備えたことを特徴とする。
（Ａ04）前記定着領域用紙ガイド（Ｇ２）の前記一方側の下面に向けて排気する前記第２送風機（１７）。
（本発明の形態１の作用）
前記構成要件（Ａ04）を備えた本発明の形態１のフラッシュランプ式定着装置（Ｕ）では、第２送風機（１７）は、定着領域用紙ガイド（Ｇ２）の一方側の下面に向けて排気する。前記一方側下面に向けて排気された前記昇温冷却風は、前記定着領域用紙ガイド（Ｇ２）の一方側の下面を加熱する。
【００１０】
（本発明の形態２）
本発明の形態２のフラッシュランプ式定着装置は、前記本発明ないし本発明の形態１において、次の構成要件（Ａ05）を備えたことを特徴とする。
（Ａ05）前記定着領域用紙ガイド（Ｇ２）と略平行に排気する前記第２送風機（１７）。
（本発明の形態２の作用）
前記構成要件（Ａ05）を備えた本発明の形態１のフラッシュランプ式定着装置（Ｕ）では、第２送風機（１７）は、前記定着領域用紙ガイド（Ｇ２）と略平行に排気する。前記略平行に排気された昇温冷却風は、前記定着領域用紙ガイド（Ｇ２）と略平行に流れた後に上昇して前記定着領域用紙ガイド（Ｇ２）の一方側下面に送風される。また、画像形成装置の製造時における前記第２送風機（１７）の配置、取り付けが容易となる。
【００１１】
（本発明の形態３）
本発明の形態３のフラッシュランプ式定着装置は、前記本発明ないし本発明の形態１または本発明の形態２において、次の構成要件（Ａ06）を備えたことを特徴とする。
（Ａ06）排気方向が変更可能に構成された第２送風機（１７）。
（本発明の形態３の作用）
前記構成要件（Ａ06）を備えた本発明の形態３のフラッシュランプ式定着装置（Ｕ）では、前記第２送風機は、排気方向が変更可能に構成されている。このため、前記定着領域用紙ガイド（Ｇ２）の下面に送風する前記昇温冷却風の向きを調整することができるため、定着領域（Ｑ２）の用紙幅方向の温度分布を調整することができる。したがって、画像形成装置の製造時における機種差やユーザの使用環境等に応じて定着領域（Ｑ２）の用紙幅方向の温度分布を微調整することができる。
【発明の効果】
【００１２】
前述の本発明のフラッシュランプ式定着装置は、下記の効果（Ｅ01），（Ｅ02）を奏する。
（Ｅ01）定着領域の用紙幅方向の定着強度を、均一にすることができる。
（Ｅ02）小型化可能で構成の簡単なフラッシュランプ式定着装置を提供することができる。
【発明を実施するための最良の形態】
【００１３】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１４】
（実施例１）
図１は本発明の実施例１の送り孔付き連続用紙搬送装置を備えた画像形成装置の説明図である。
図１において、画像形成装置としての送り孔付き連続用紙を使用するプリンタＵは、プリンタ支持面ＰＳ上に支持されている。前記プリンタＵの右側上部にＵＩ（ユーザインタフェース）が設けられている。ＵＩ（ユーザインタフェース）には、図示しない電源スイッチ、ディスプレイ、濃度調整スイッチ等が設けられている。前記ＵＩの下側には右端部に図示しない制御ボードを収容するためのボード収容部Ｓが設けられている。
前記ボード収容部Ｓの左側には、ドラム状の感光体ＰＲが回転可能に支持されている。前記感光体ＰＲの上側には転写ロールＴｒが配置されている。前記感光体ＰＲの周囲には、その回転方向に沿って前記転写ロールＴｒ、クリーナＣＬ、帯電器（チャージコロトロン）ＣＣ、現像器Ｄが配置されている。
なお、前記転写ロールＴｒの代わりに転写コロトロンを使用可能であり、前記帯電器（チャージコロトロン）ＣＣの代わりに帯電ロールを使用可能である。
【００１５】
前記感光体ＰＲ、転写ロールＴｒ、クリーナＣＬ、帯電器ＣＣ、現像器Ｄは、前後方向（図１の画面に垂直な方向、Ｘ軸方向）に移動可能な移動台１上に支持されている。前記移動台１の下方にはＲＯＳ（潜像形成装置）が配置されている。前記ＲＯＳ（潜像形成装置）の下方には電源回路Ｅが配置されている。
回転する前記感光体ＰＲの表面は、帯電器ＣＣにより一様に帯電され、前記帯電された感光体ＰＲ表面は、前記ＲＯＳ（潜像形成装置）から出射されるレーザビームＬにより静電潜像が形成される。前記感光体ＰＲ表面の静電潜像は現像器Ｄによりトナー像に現像される。前記感光体ＰＲ表面のトナー像は、前記転写ロールＴｒに対向する転写領域Ｑ１に搬送される。
【００１６】
前記プリンタＵは、送り孔付き連続用紙Ｐを収容する連続用紙収容部ＴＲ１を有している。前記連続用紙収容部ＴＲ１に収容された送り孔付き連続用紙Ｐは用紙搬送用のトラクタユニット（用紙搬送部材）Ｋ１，Ｋ２，Ｋ３およびガイドロールＲ，Ｒ等により搬送される。転写ロールＴｒは、前記送り孔付き連続用紙Ｐが前記転写領域Ｑ１を通過する際に感光体ＰＲ表面のトナー像を送り孔付き連続用紙Ｐに転写する。前記用紙搬送用のトラクタユニットＫ１，Ｋ２，Ｋ３は、ほぼ同様に構成されている。
【００１７】
（用紙搬送用トラクタユニット）
図２は用紙搬送用のトラクタユニットの説明図であり、図２Ａは連続用紙を搬送するトラクタユニットの斜視図、図２Ｂはトラクタユニットの説明図で前記図２ＡのIIＢ−IIＢ線から見た図である。
図２Ａにおいて、送り孔付き連続用紙Ｐには、用紙搬送方向に所定間隔離れる毎に折り線（直線に沿って小さい孔（またはスリット等）が形成された部分）Ｐａが形成されている。また、送り孔付き連続用紙Ｐの用紙幅方向両側には用紙搬送方向に沿って一定間隔ａで且つ用紙搬送方向同一位置に送り孔Ｐｂ が形成されている。
【００１８】
図２Ａにおいて、前記用紙幅方向（Ｘ軸方向、すなわち、前後方向）に離れて配置された前後一対のトラクタユニットＫ１，Ｋ１は、用紙幅方向に延びる固定シャフトＳ０に支持されている。前後一対のトラクタユニットＫ１，Ｋ１の中の前側（Ｘ側）のトラクタユニットＫ１は固定シャフトＳ０に固定支持されている。後側（−Ｘ側）のトラクタユニットＫ１は固定シャフトＳ０上にスライド可能且つ固定可能に支持されており、使用される連続用紙の幅に応じて固定シャフトＳ０上で位置調節される。
各トラクタユニットＫ１，Ｋ１はガイドフレーム２を有している。ガイドフレーム２には軸受３，４が装着されており、前記トラクタシャフトＳ１，Ｓ２は前記軸受３，４により前記ガイドフレーム２に対して回転可能に支持されている。
【００１９】
前記トラクタシャフトＳ１，Ｓ２にはそれぞれタイミングプーリ５，６が装着されている。前記ガイドフレーム２と前記軸受３，４と、前記タイミングプーリ５，６とにより、ピンベルト７を回転可能に支持するベルト支持部材（２〜６）が構成されている。図２Ａ、図２Ｂにおいて、ピンベルト７の外周には複数のトラクタピン７ａが一定間隔ａで設けられている。前記トラクタピン７ａは前記送り孔Ｐｂに嵌合可能である。
【００２０】
前記トラクタシャフトＳ１には図示しない回転駆動部材から回転力が伝達されるように構成されている。トラクタシャフトＳ１が回転すると、前記用紙幅方向両側の端部に装着されたタイミングプーリ（ベルト駆動部材）５（図２Ｂ参照）が回転する。前記タイミングプーリ５の回転にともなって前記用紙幅方向両側のピンベルト７およびタイミングプーリ６も回転する。前記トラクタピン７ａが前記送り孔Ｐｂに嵌合している状態で前記ピンベルト７が回転すると、前記送り孔付き連続用紙Ｐは用紙搬送方向に搬送される。
【００２１】
図１において、前記転写領域Ｑ１においてトナー像が転写された送り孔付き連続用紙Ｐは、用紙ガイドＧ１にガイドされて定着領域Ｑ２に搬送される。定着領域Ｑ２には用紙下面をガイドする板状の定着領域用紙ガイドＧ２が配置されており、前記定着領域用紙ガイドＧ２に沿って搬送される送り孔付き連続用紙Ｐ上のトナー像はフラッシュランプを使用したフラッシュランプ式定着装置Ｆにより定着用の光を照射されて加熱定着される。トナー像が形成された送り孔付き連続用紙Ｐは、左右一対のガイドバーＲｂ，Ｒｂおよび用紙ガイド部材Ｇ３，Ｇ３の間を順次通って、下方の連続用紙スタックトレイ装置ＴＲ２に搬送される。
【００２２】
（フラッシュランプ式定着装置Ｆ）
図３は前記図１に示す定着装置の説明図であり、図３Ａは定着領域用紙ガイドの平面図、図３Ｂは前記図３ＡのIIIＢ−IIIＢ線断面図である。
図１、図３において、板状の定着領域用紙ガイドＧ２の上方には、ランプケース１１が前記定着領域用紙ガイドと平行に配置されている。前記ランプケース１１の下面には、耐熱ガラス部１１ａが設けられている。
前記ランプケース１１の内部には、反射板１２が収容されており、前記反射板１２の内側には、フラッシュランプ１３が収容されている。前記反射板１２の後端および前端には前端壁１２ａおよび後端壁１２ｂが設けられており、前記前端壁１２ａおよび後端壁１２ｂには、冷却風通過用の通風孔１２ａ1および１２ｂ1が設けられている。
前記フラッシュランプ１３のフラッシュ光は、前記耐熱ガラス部１１ａを透過して前記定着領域Ｑ２を通過中のシートＰに照射される。
【００２３】
前記定着領域用紙ガイドＧ２の後側（用紙幅方向の一方側）には、第１送風機１６が配置されている。前記第１送風機１６は、吸気口１６ａから吸気した冷却風を前記ランプケース１１内に排気する排気口１６ｂを備えている。また、前記定着領域用紙ガイドＧ２の手前側（用紙幅方向の他方側）には、第２送風機１７が配置されている。前記第２送風機１７は、前記ランプケース１１内から吸気する吸気口１７ａと、前記吸気口１７ａから吸気した気体を定着領域用紙ガイドＧ２下方に排出可能な排気口１７ｂを備えている。
本実施例１では、前記第１送風機１６と第２送風機１７とは同一構成の送風機を使用している。このため、フラッシュランプ式定着装置の部品の種類の増加を防止している。
【００２４】
前記ランプケース１１の後部に吹き込まれた冷却風は、前記反射板１２の外側および内側を通り、前側（Ｘ側）に流れて反射板１２を冷却する。前記反射板１２の内部を通る冷却風はフラッシュランプ１３の周囲を流れて前記フラッシュランプ１３を冷却する。
前記ランプケース１１の後側から手前側に流れた冷却風は温度が上昇している。前記温度が上昇した冷却風は、第２送風機１７の吸気口１１ａから吸い込まれて、前記定着領域用紙ガイドＧ２よりある程度下方の位置から水平方向後方に所定の速度で吹き出される。
この時、前記水平方向後方に所定の速度で吹き出される冷却風は、前記定着領域用紙ガイドＧ２の水平方向後方で上昇して前記定着領域用紙ガイドＧ２下面に吹き付けられる。このため、前記定着領域用紙ガイドＧ２は加熱される。前記定着領域用紙ガイドＧ２の後側部分の下面を加熱するように吹き出された冷却風（温度が上昇した冷却風）は、トナー融解時に発生する定着噴煙回収や、脱臭、脱煙を行うエアーフィルタを備えた排気ダクト１９から画像形成装置背面に排気される。
【００２５】
（実施例１の作用）
前記構成を備えた実施例１のフラッシュランプ式定着装置Ｆでは、冷却風を送り込んだ第１送風機１６側（画像形成装置の後側）のフラッシュランプ１３の表面温度は冷却風により低くなるが、前記冷却風は第２送風機１７側（画像形成装置の前側）に行くにしたがって温度が上昇するので、フラッシュランプ１３の第２送風機１７側部分（前側部分）の温度は後側部分に比較して高くなる。この場合、定着領域Ｑ２の前記第１送風機１６側（後側）の温度が第２送風機１７側（前側）の温度より低くなると、定着領域Ｑ２を通過する用紙の第１送風機１６側のトナーの定着不良が生じるおそれがある。
【００２６】
しかし、前記実施例１では、温度上昇した冷却風が第２送風機１７により吸い込まれて前記定着領域用紙ガイドＧ２の前記第１送風機１６側（後側）の下面に吹き付けられる。このため、前記定着領域用紙ガイドＧ２の後側部分の下面に吹き付けられて温度上昇した冷却風が、前記定着領域用紙ガイドＧ２の第１送風機１６側部分（後側部分）の下面を加熱するので、前記第１送風機１６側（後側）の定着不良の発生を防止することができる。したがって、前記定着領域Ｑ２を通過する用紙のトナー定着温度を均一化することができる。
【００２７】
図４は定着領域の用紙幅方向の定着領域温度分布を示すグラフであり、図４Ａは実施例１の定着領域温度分布、図４Ｂは従来技術の定着領域温度分布である。
なお、図４のグラフにおいて、横軸はフラッシュランプ１３の前後方向の位置を表し、縦軸は定着温度を表す。
図４Ａにおいて、前記第１送風機１６および第２送風機１７を有する実施例１の定着領域Ｑ２の用紙幅方向の前記定着領域温度分布は、用紙幅方向（前後方向）において均一化される。したがって、本発明の実施例１の定着装置は、定着領域Ｑ２の加熱温度のバラツキを少なくすることができる。このため、定着領域Ｑ２の全領域に渡ってトナー像の適切な加熱定着を行うことが可能となる。
【００２８】
図４Ｂにおいて、１個の送風機のみを使用する従来技術の定着装置では、冷却風は定着領域Ｑ２の前側（フラッシュランプ１３前側）から送り込まれ、前記フラッシュランプ１３奥側から画像形成装置外部に排気される。このため、前記フラッシュランプ１３の奥側に比較して前側が冷却されるので、定着領域Ｑ２は後側に行くにしたがって定着温度が上昇してしまい、定着領域Ｑ２を均一温度に加熱することができない。このため、トナー像の適切な加熱定着を行い難い。
【００２９】
したがって、実施例１のフラッシュランプ式定着装置Ｆでは、第１送風機１６および第２送風機１７により定着領域Ｑ２の定着温度を均一化できる。また、前記構成により定着温度を均一化できるので、従来技術のような導風路が必要ない。したがって、実施例１のフラッシュランプ式定着装置Ｆは、小型化でき、構成も簡単化することができる。
【産業上の利用可能性】
【００３０】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）第１送風機１６と第２送風機１７とは同一のものを使用する代わりに、異なる種類のものを使用可能である。
（Ｈ02）ランプケース１１内部に、フラッシュランプ１３を複数配置することが可能である。
（Ｈ03）本発明では、第２送風機から排出される温度が上昇した冷却風は、定着領域用紙ガイドＧ２下面に近接した位置から吹き出す場合には、冷却風を斜め下方後方に吹き出すことにより前記定着領域用紙ガイドＧ２の後側部分の下面を加熱することが可能である。また、定着領域用紙ガイドＧ２下面から十分離隔した位置から吹き出だす場合は、前記冷却風を斜め上方後方に吹き出すことにより、前記定着領域用紙ガイドＧ２の後側部分の下面を加熱することが可能である。
（Ｈ04）本発明のフラッシュランプ式定着装置は、連続用紙を使用する画像形成装置に限定されず、１枚ずつカットされた（裁断された）カット紙を使用する画像形成装置でも使用可能である。
（Ｈ05）前記実施例において、排気方向が変更可能な前記第２送風機を使用することも可能である。この第２送風機を使用した場合、定着領域用紙ガイドＧ２の下面に送風する前記昇温冷却風の向きを調整することができるため、定着領域Ｑ２の用紙幅方向の温度分布を調整することができる。したがって、画像形成装置の製造時における機種差やユーザの使用環境等に応じて定着領域Ｑ２の用紙幅方向の温度分布を微調整することができる。
【図面の簡単な説明】
【００３１】
【図１】図１は本発明の実施例１の送り孔付き連続用紙搬送装置を備えた画像形成装置の説明図である。
【図２】図２は用紙搬送用のトラクタユニットの説明図であり、図２Ａは連続用紙を搬送するトラクタユニットの斜視図、図２Ｂはトラクタユニットの説明図で前記図２ＡのIIＢ−IIＢ線から見た図である。
【図３】図３は前記図１に示す定着装置の説明図であり、図３Ａは定着領域用紙ガイドの平面図、図３Ｂは前記図３ＡのIIIＢ−IIIＢ線断面図である。
【図４】図４は定着領域の用紙幅方向の定着領域温度分布を示すグラフであり、図４Ａは実施例１の定着領域温度分布、図４Ｂは従来技術の定着領域温度分布である。
【符号の説明】
【００３２】
１１…ランプケース、
１２…反射板、
１３・・・フラッシュランプ、
１６・・・第１送風機、
１７・・・第２送風機、
Ｇ２・・・定着領域用紙ガイド、
Ｐ・・・用紙、
Ｑ２・・・定着領域。
【図１】
2006235185.tif 000003
【図２】
2006235185.tif 000004
【図３】
2006235185.tif 000005
【図４】
2006235185.tif 000006